(57)【特許請求の範囲】
【請求項１】
交換可能供給モジュールを取り付けるための配置場所を有する外部細動除去器と、
前記外部細動除去器上の前記配置場所に取付けられ、かつ、パッドおよび電池、並びに、任意で、前記細動除去器の動作に関連して用いられる他の品が収容されるコンパートメントを含む交換可能供給モジュールであり、該コンパートメントにおける該品にアクセスすべく開かれ得るカバーを有する交換可能供給モジュールと、
を含む細動除去システム。
【請求項２】
交換可能供給モジュールは、前記外部除細動器に電気的に接続される、請求項１記載の細動除去システム。
【請求項３】
前記細動除去器は、前記交換可能供給モジュールの定期的試験を実行するよう構成される、請求項２記載の細動除去システム。
【請求項４】
前記細動除去器は、前記供給モジュールを監視するように構成される、請求項２記載の細動除去システム。
【請求項５】
前記供給モジュールのコンパートメントは、ＥＣＧ（心電図）リード線、グローブ、ＣＰＲバリアマスク、ＰＣＭＣＩＡメモリカード、及び、はさみの少なくとも一つを更に含む、請求項１記載の細動除去システム。
【請求項６】
前記供給モジュールは、前記供給モジュールから前記細動除去器へ伝送される情報を格納するように構成されるメモリを含む、請求項１記載の細動除去システム。
【請求項７】
前記情報は、有効期限日情報、訓練情報、コード情報およびソフトウェア情報のうちの少なくとも１つを含む、請求項６記載の細動除去システム。
【請求項８】
前記コンパートメント内にある前記細動除去器用のパッドは、コネクタによって前記細動除去器に電気的に接続される、請求項１記載の細動除去システム。
【発明の詳細な説明】
【０００１】
【発明の属する技術分野】
本発明は、一般に可搬型外部細動除去器に関するものであり、さらに詳細には、可搬型外部細動除去器用の付属品に関する。
【０００２】
【従来の技術】
突然の心臓機能停止によって心臓の機能は途絶し、それによって生命をつかさどる諸器官へ血液が流れなくなる。そのような症例の大部分において、突然の心臓機能停止は、異常または無秩序な心臓リズム、すなわち細動として現れる。このような症例は、通常、患者の即時の脈拍喪失、意識喪失および呼吸停止によって確認できる。
【０００３】
米国における死亡原因のうちの毎年35万件以上がこの突然の心臓機能停止によるものとされ、国の主な医療緊急事態の１つとなっている。世界でも、突然の心臓機能停止は、各年の大多数の死亡原因となっている。即時の医療介入を始めない限り、突然の心臓機能停止は数分以内に死を招くはずである。
【０００４】
突然の心臓機能停止の患者に対して施さなければならない医療処置には、（１）救急治療の早期受診（２）血液に酸素を送り、患者の脳およびその他の生命をつかさどる諸器官へ血液が継続的に流れるようにするための心肺機能の早期蘇生（３）心臓の規則的リズムを回復するための早期の細動除去（心臓への電気ショックの印加）（４）高度な医療の早期受診という４要素がある。患者が、突然の心臓機能停止を引き起こしている場合、心臓内の電気的活動は無秩序となる。細動除去器からの電気ショックは、調整されたポンプ運動が再開できるようにするための電気的衝撃を再編成することができる。このショックを与えるために、細動除去器と呼ばれる機械からの特別なパッドが患者の胸部に当てられ、電気ショックが１つのパッドからもう１つのパッドへ患者の体を介して送られる。本明細書において使用されているように、「パッド」という用語は、パッドとパドルの両方を含む。
【０００５】
細動除去に続いて、約４分以内に迅速な心肺機能蘇生が行なわれる場合、患者が突然の心臓機能停止からの生存の可能性は、50％近く、もしくはそれ以上となる。最初の重要な数分以内に細動除去が迅速に行なわれることは、突然の心臓機能停止からの死亡を防止するための救急医療処置の最も重要な要素の１つと考えられている。
【０００６】
迅速な細動除去は救命に重要であることから、病院へ到着する前に患者に細動除去を施せるように、患者の元へ運ぶことが可能な可搬型細動除去器が開発された。また、救急職員が常駐しない病院や、飛行機、空港、定期船、カジノ、スポーツアリーナ、および受診が困難である、または受診に時間がかかるような人の多い他の施設など、病人が発生しても受診が困難なその他の公衆の場に可搬型細動除去器を配置する傾向がある。
【０００７】
一般的に、自動外部細動除去器が使用されるのは、非常にまれである。実際、細動除去器は、典型的に、１〜２年毎に１度よりも多い頻度で使用されないと推定された。この細動除去器が使用可能であることを確実にするために、従来の各細動除去器は、定期的に回路の実行可能性を保証する試験手順を実行する。なんらかの欠陥が検出された場合、修理が必要である旨を示すアラームまたはその他の表示が細動除去器の所有者または操作者に提示される。任意で、このアラームは電話などによって、ネットワークを介して遠隔監視場所へ伝達されることが可能である。
【０００８】
様々な供給品が細動除去器を動作させるために必要である。典型的に、自動外部細動除去器は、事前に接続された、または使用者が取付けた自己粘着性のパッドを使用する。ゲル状導体は、各自己粘着性パッドの中央部分に供給され、患者の皮膚と、パッドに接続されたワイヤーとの間の確実な接触を提供する。パッド上のゲルは時間の経過にともなって乾燥し、パッドの効果を低減し、パッドの有効期間を約２年に限定する場合がある。
【０００９】
同様に、細動除去器を動作させるために供給される電池は、再充電、または使い尽くされた場合には交換しなければならない。電池の有効期間は、電池の化学的性質にもよるが、一般的に５年程度である。
【００１０】
【発明が解決しようとする課題】
このように、細動除去器群の維持は、細動除去器自体の動作状態の監視に加えて細動除去器の動作に必要な多数の品目を監視しなければならないため、複雑となる。したがって、細動除去器と細動除去器の動作に関連する品目の状態が容易に監視可能であるシステムを提供することは好都合である。
【００１１】
【問題を解決するための手段】
本発明は、自動外部細動除去器と、その自動外部細動除去器と接続して使用するための品目を含む供給モジュールとを含む細動除去器システムに関連する。供給モジュールは多数の品目を含むことが可能で、それには細動除去器用のパッド、ECG（心電図）リード線、グローブ（手袋）、CPRバリアマスク、ハサミ、PCMCIAカード、電池とともに、操作者または製造者が含むことを所望するその他のコンポーネントまたは供給品が含まれる。供給モジュールは、一般的に、細動除去器の動作時に品目の利用可能性を確実にするために、細動除去器に物理的に結合される。電池およびパッドなどの供給モジュール内の品目、または供給モジュール自体は、救急医療の状況に対応する際に細動除去器を配置するのに必要な時間量を減らすために、細動除去器と電気的に結合されることが可能である。本発明の別の態様において、供給モジュールには、供給モジュールまたは供給モジュールに含まれる１つ以上の品目の有効期間に関して可視的または電子的に読取り可能なマークが与えられ得る。供給モジュール、細動除去器、細動除去器の操作者および細動除去器の保守担当者の間での情報の交換を容易にするために、細動除去器の動作前、動作時、動作後に細動除去器と通信するためのメモリまたはその他の回路要素が、供給モジュール上に供給されることが可能である。
【００１２】
一実施態様において、細動除去システムは、外部細動除去器と、その外部細動除去器上に取付けられたパッドおよび電池を含む交換可能な供給モジュールとを含む。この実施態様において、交換可能供給モジュールは、外部細動除去器と物理的または電気的に接続されることが可能である。この交換可能供給モジュールはパッドおよび電池を含むためのコンパートメントを有する容器でもよい。この容器は、剥離可能な上面を有することが可能で、その剥離可能な上面をはがすことによって細動除去器の動作が開始されるように構成可能である。この交換可能供給モジュールは有効期限日を有し、その有効期限日はパッドの有効期限日および電池の有効期限日より早くてもよい。この有効期限日は、交換可能供給モジュールの表面上に印刷された可視性のマーク、または細動除去器によって読取り可能な機械読取り可能形態をしたマークなど、多くの形態をとることが可能である。この有効期限日が機械読取り可能形態である場合、細動除去器はその有効期限日を監視し、その有効期限日に関する情報をローカルにまたはリモートに伝送することが可能である。
【００１３】
別の態様において、細動除去器は、定期的な自己試験に関連して、またはその自己試験とは別に、交換可能供給モジュールの定期的試験を実行するように構成される。交換可能供給モジュールの定期的試験の結果は、それぞれ、細動除去器のディスプレイまたは通信ユニットによってローカルにまたはリモートに伝達される。この細動除去器は、供給モジュールの有効期限日を現在の日付と比較し、供給モジュールがその有効期限日を経過した、またはその有効期限日に近づいていることを示す、少なくとも１つの可聴性および可視性の警告を発するように構成されることが可能である。
【００１４】
別の実施態様において、細動除去システムは、供給モジュールを監視するように構成された細動除去器と、その細動除去器に電気的に接続可能なパッドおよび電池を含む供給モジュールとを含む。また、供給モジュールはECG（心電図）リード線、グローブ、CPRバリアマスク、PCMCIAメモリカード、ハサミおよびメモリを含むことが可能である。このメモリは、供給モジュールの有効期限日、供給モジュールが含む品目の有効期限日、訓練用シナリオ、細動除去器の動作に必要なコード、または細動除去過程中に細動除去器が使用可能なソフトウェアおよびアルゴリズムに関連する情報など、供給モジュールから細動除去器へ伝送される情報を格納するように構成される。同様に、供給モジュールは、ECGデータ、イベントデータおよび音声データなど、細動除去器から受信された情報を格納するように構成されたメモリを含むことが可能である。
【００１５】
本発明は、特許請求の範囲中に詳細に指摘されている。本発明の上述の利点、およびその他の利点は、図面とともに記述された以下の説明を参照することによってより良く理解されることが可能である。
【００１６】
【発明の実施の形態】
図１を参照して、本発明を説明する。細動除去システム８は、外部細動除去器１０を含み、その外部細動除去器１０は、外部細動除去器１０と接続して使用される品目を含む供給モジュール１４を有する。電池駆動の装置であるため、細動除去器１０は容易に持ち運びができ、したがって病院以前の（緊急の）使用に適している。供給モジュール１４は、任意の容器、ホルダー、入れ物、液体容器（vessel）、箱、カートン、または細動除去器１０の動作に関連して使用される品目または細動除去器１０を動作させるために使用可能な品目を包含、接続、保持、収集、あるいは別な方法で収容（全体的に包含）することが可能なその他の装置とすることが可能である。この供給モジュールは、ソケット１２によってなど、細動除去器の動作時に品目の利用可能性を確実にするために、細動除去器１０に物理的に結合されていることが好ましい。
【００１７】
供給モジュールを細動除去器に物理的に結合可能な機械的ラッチ、磁石、コードまたはその他の装置は、ソケット１２の内部で供給モジュール１４を保持するために使用されることが可能である。任意で、供給モジュールは、細動除去器のキャリングケースのポケットまたはその他のコンパートメント中に保持されることによってなど、介在する構造を介して細動除去器に物理的に結合されることが可能である。
【００１８】
図２に示すように、供給モジュール１４によって包含可能な品目は、パッド、ECGリード線、グローブ、CPRバリアマスク、ハサミ、PCMCIAカードおよび電池とともに、操作者または製造者が含むことを所望するその他のコンポーネントまたは供給品目を含む。コンポーネントの特定の選択は、供給モジュールの意図された使用に依存する。供給モジュール１４は、典型的に、コンパートメント１８が上記品目を収容するために形成された外殻１６から形成される。外殻１６は、典型的に、硬質プラスチックから形成される。収納コンパートメント（コンパートメント）１８内のタイダウン２０を使用することにより、コンパートメント１８内に供給品を固定して保持することが可能である。供給モジュール１４は使い捨てのもので、使用後に廃棄されるか、または使用後、または有効期限後、一新するために製造者に返却されることが可能である。
【００１９】
供給モジュール１４は、可能な限り長期間、供給品目が新しい状態のままであることを保証するように、および供給品目が汚染されないように気密封止されるか、あるいは別な方法で層２２によって封止されることが可能である。層２２は、プラスチックまたはその他の材料から形成されることが可能で、所望の封止を提供するように供給モジュール１４の表面に接着または取り付けられる。層２２は、供給品にアクセスできるように、はがすなどして除去可能である。なお、層２２は不透明でも、透明でもよい。１つ以上の電気コネクタ２４は、層２２を介して形成されるか、層２２上に印刷されるか、または層２２によって形成されて、供給モジュール１４の中身にアクセスするために層２２を取り除くと、細動除去器１０が自動的にオンとなるようにすることが可能である。
【００２０】
供給モジュール１４は、電池端子２６、パッド端子２８、胸部電極端子３０、メモリ端子４０、および供給モジュールまたは供給モジュール内に収容された品目を細動除去器１０に電気的に相互接続するために必要な、またはそのために望ましい、その他の端子を介して、細動除去器１０に電気的に相互接続されることが好ましい。図４に示すように、電池端子２６は、モジュール１４中の電池３２と細動除去器１０との間の相互接続を提供する。電池３２は、細動除去器１０に電力を供給する。パッド端子２８はパッド３４と細動除去器１０との間の相互接続を提供し、胸部電極端子３０は胸部電極３６と細動除去器１０との間の相互接続を提供する。供給モジュール１４にメモリ３８が提供されている場合、メモリ３８と細動除去器１０との間の伝送はメモリ端子４０を介して行なわれることが可能である。
【００２１】
概して図４を参照すると、ソケット１２は再充電可能な電池３２に取り付けるための複数の電池端子２６を含む。電池パック３２は、数時間の動作のために、細動除去器１０へ電力を供給可能な１つ以上の電池を含むことが好ましい。図示するように、電池パック３２は、供給モジュール１４が細動除去器１０上のソケット１２に結合される場合、電池端子２６を介して高電圧充電回路４２に電気的に結合される。接続されると、必要に応じて、電池３２は突然の心臓機能停止を引き起こしている患者に細動除去を施すために必要な大電荷を蓄えるように使用される高電圧充電回路４２内に収容された大容量コンデンサに電荷を供給する。この高電圧充電回路４２は、パッド端子２８を介して患者に細動除去ショックを与えるために使用される１対のパッド３４に電気的に接続される。細動除去ショックの印加は細動除去制御部４６によって制御される。さらに、電池パック３２は、電池端子２６を介して、電源４４に電気的に結合され、電源４４は細動除去器１０内の制御および監視回路要素に電力を供給する。
【００２２】
まだ図４を参照すると、細動除去器１０は心電図（ECG)ユニット４８をさらに含み、心電図（ECG)ユニット４８は細動除去器１０の監視機能を制御する。ECGユニット４８の以下の説明から、当業者は、ECGユニット４８が従来のマイクロプロセッサを使用して実現されることが可能で、回路要素、あるいは特定用途向け集積回路（ASIC)をサポートすることが可能である旨を理解するであろう。ECGユニット４８は、胸部電極端子３０によって細動除去器１０に接続された胸部電極３６を介して患者からのEGCデータを受信する。この胸部電極３６は、使い捨ての電極であることが好ましく、患者との良好な電気的接触を確立するために導電性のゲルでコーティングされることが好ましい。患者から受信されたECGデータは、ECGユニット４８内のECGデータバッファに一時的にバッファリングされ、表示装置５０を用いて細動除去器１０の操作者にリアルタイムで表示される。このECGデータは、従来のECG波形パターンの形態で表示されることが好ましく、患者の瞬間脈拍率など、ECGデータから抽出された追加情報とともに表示されることが可能である。
【００２３】
供給モジュール１４上の供給モジュールメモリ３８は、メモリ端子４０を介してECGユニット４８に接続される。供給モジュールメモリ３８は、ECGデータ、音声データ、または細動除去器の動作時に発生するイベントのシーケンスおよびタイミングに関係するその他の情報など、細動除去器１０から供給モジュール１４に伝送される情報を格納するように構成されることが可能である。この情報は、今後の細動除去器を設計することに関連して細動除去器の製造者等の多くの人によって、または細動除去器を使用する救急チームの働きを評価する際に医療職員によって使用されることが可能である。また、供給モジュールメモリ３８は、ソフトウェアのアップグレード、コード、パスワードまたは細動除去器上の回路要素の起動に必要な他のマーク、有効期限日情報、または細動除去器の適切な動作に必要な、またはそのために望ましい他の情報など、細動除去器１０へ伝達される情報を格納するように構成されることが可能である。
【００２４】
供給モジュール１４上で使用されるメモリの特定の種類は、供給モジュールメモリ３８の意図された目的に依存する。供給モジュールメモリ３８が読取り専用でなければならない場合、ROMが使用可能である。ROMは、電源をROMに接続しなくても、ROM中の情報を維持できるため、そのような場合に好ましい。メモリ３８が読取り可能であるとともに、書込み可能でなければならない場合、ランダムアクセスメモリ（RAM)が使用可能である。周知のように、RAMは外部電源によってリフレッシュ、あるいは別な方法で維持されなければならない。したがって、RAMが供給されるべきである場合、電源として電池３２を使用してRAMをリフレッシュおよび維持することに関連する回路要素も提供されなければならない。任意で、２種類のメモリが提供されることが可能である。ROMは細動除去器へ伝送される情報を格納するために使用可能であり、RAMは細動除去器からの情報を受信するために提供されることが可能である。この場合、供給モジュール１４は、細動除去器１０が供給モジュールメモリ３８に情報を伝送した後に、RAMのみ維持されるように構成されることが可能である。様々な種類のメモリの実現は、通常の技能を有する当業者の能力の範囲内で可能である。任意で、供給モジュール内のメモリは、PCMCIA（パーソナルコンピュータメモリカード国際協会）メモリカードを含むことが可能である。
【００２５】
また、供給モジュールメモリ３８は、複数の細動除去器１０へ、ソフトウェア、アルゴリズム、およびその他の情報を伝送するために有効な場合がある。例えば、細動除去器１０の動作に関連する最新の命令、またはECG波形の解析に有用な最新のアルゴリズムは、供給モジュールメモリ３８に配置されることが可能である。各供給モジュールは所定の有効期間を有し、最終的に交換が必要になるため、供給モジュールメモリ３８中にソフトウェアおよびアルゴリズムを格納することにより、細動除去器群中の各細動除去器によって使用されるソフトウェアおよびアルゴリズムは、各細動除去器群を回収しなくても、または各細動除去器への新しいプログラムまたはデータの特別なインストールを必要としなくても、更新されることが可能となる。メモリ３８に対するいくつかの利用法を説明してきたが、メモリ３８は、それらの使用に限定されるものではなく、追加のタスクにも同様に使用されることが可能である。細動除去器と供給モジュールメモリ３８との間の情報の転送は、任意の既知のプロトコルを使用することによって実行されることが可能である。
【００２６】
ECGユニット４８は、細動除去器メモリ５６内に、対象となっているECGデータを格納するために操作者が押下する「マーク」ボタン（ユーザコントロール）５２など、ユーザコントロール５２，５４にさらに結合される。任意で、この情報は、供給モジュールメモリ３８にも格納されることが可能である。実際、細動除去器メモリ５６内に格納される全情報は、供給モジュールメモリ３８内に任意で格納されることが可能である。患者の処置中、操作者は、一般的に、薬の投与、ショックの印加、およびその他の主な処置イベントの前後に検出されたECGデータのセグメントを記録するために、マークボタン５２を使用する。患者の処置中に操作者によってメモリ５６に格納されたECGデータセグメントの集合は、「コード」サマリとして知られ、細動除去器１０の操作者がレビューボタン（ユーザコントロール）５４を押下することによって、サーマルプリンタ５８で印刷されることが可能である。さらに、ECGユニット４８は、後の使用のために、記録されたイベントのリストとともに、メモリ５６内の処置中に検出された患者の全ECGデータを格納できる。代案として、ECGユニット４８は、ショックの印加など、操作者が事前に選択したイベントを自動的に記録することができる。
【００２７】
さらに、ECGユニット４８は音声記録再生ユニット６０に結合される。音声記録再生ユニット６０は、マイクロフォン６２から音声入力を受信し、スピーカ６４を介して細動除去器１０の操作者に音声出力を供給する。コントロール５２，５４を介したユーザ入力に応答して、音声記録再生ユニット６０は、マイクロフォン６２を介して音声データを検出し、その音声データをデジタル化し、メモリ５６内に音声データを格納する。当業者には理解されるように、この音声データは、音声データの格納に必要なメモリ５６のサイズを最小限とするために、数多くの周知のデータ圧縮アルゴリズムのうちのいずれかを使用して格納前に圧縮されることが可能である。この音声データは、マークボタン５２が同様に押下されることに応答して記録されたECGデータに関連して、メモリ５６内に格納されることが可能である。また、この音声データは、音声記録再生ユニット６０によって、ラジオカセットまたはマイクロカセットのテープなど、磁気テープ上に記録されることが可能である。
【００２８】
メモリ５６を容易にするために、メモリ５６は、PCMCIAメモリカードなど、脱着可能かつ携帯型のデータ格納装置を備えることが好ましい。しかしながら、メモリ５６は、代案として非脱着可能メモリとして実現されることも可能である。さらに、細動除去器１０は、メモリ５６の内容が、精査および解析を行なうコンピュータに直接ダウンロードすることが可能になるように、赤外線シリアルポートまたはその他のデータ通信手段（図示せず）を含むことが望ましい。
【００２９】
上述のように、供給モジュール１４中に収容される品目は、所定の有効期間を有する。品目の残りの有効期間の監視を容易にするために、供給モジュール１４は、それ自体に有効期間が与えられる。供給モジュール１４または収容された品目の有効期間は、操作者または保守担当者が、供給モジュール１４内に含まれた品目が有効期限を経過したか否かを決定できるように、供給モジュール１４の外面に印刷されることが可能である。
【００３０】
本発明の別の態様において、電子マークは、細動除去器１０が供給モジュール１４の、差し迫った、または実際の有効期限を検出可能なように供給モジュール１４上に供給されることが可能である。この電子マークは、供給モジュールメモリ３８内、供給モジュール上の独立したメモリ中、または電子回路中に含まれることが可能である。供給モジュール１４に電子マークが供給されると、細動除去器１０はこの電子マークに関連する信号を受信し、定期的な自己試験時または起動時にその信号を使用して、供給モジュール１４の有効期限日が経過したか否かを確認する。有効期限が過ぎている場合、細動除去器は供給モジュールの交換が必要である旨を示す可聴または可視警告を発することができる。この警告は、細動除去器１０と中央局またはその他のリソースとの間で片方向または双方向の通信ができるように、携帯または陸上電話網、またはその他のネットワークに接続された通信ユニット６６を使用して伝達されることが可能である。その後、その中央局は、修理技術者を派遣する、あるいは細動除去器用に新しい供給モジュールを注文することができる。
【００３１】
通信ユニット６６は、細動除去前、細動除去中、または細動除去後に、細動除去器１０によって使用されることが可能である。例えば、細動除去器１０は細動除去前に供給モジュール１４の状態を含む定期的自己試験の結果を中央局に伝達できる。細動除去中、細動除去器１０は、より高度な医療アドバイスを受けるために、中央局１０の医師にECG波形データを伝送できる。また、細動除去後、通信ユニット６６を介して、コードサマリまたはその他の情報が中央局に伝送されることも可能である。
【００３２】
本発明のさらなる態様において、モジュール１４は、訓練時に細動除去器の動作に有効な品目を含む訓練用供給モジュールであってもよい。この訓練用供給モジュールは好適には、供給モジュールと同様で、訓練時に細動除去器を動作させる人が現実的な細動除去シミュレーションを体験するようになっている。訓練用供給モジュールの電子メモリは、１つ以上の訓練シナリオを含むように構成されてもよい。例えば、訓練用供給モジュールはECGデータのサンプル、音声データのサンプル等を有するメモリを含むことが可能である。この訓練用供給モジュールは、実際に蘇生を試みている状態をより正確にシミュレートするために、訓練過程の一部として、細動除去器にこのデータを送れる。訓練が完了したら、訓練モジュールは、供給品が全て備わり、いつでも使用できる細動除去器１０を提供するために、供給モジュール１４と交換されることが可能である。
【００３３】
なお、図面にて示し本明細書にて説明した実施態様の様々な変更および修正は、本発明の思想および範囲内で行なわれることが可能である。したがって、上記説明に含まれ、図面に示された全事柄は、限定的な意味ではなく、例証的に解釈されることを意図している。本発明は、特許請求の範囲およびその同等のもので定義されている通りでのみ限定される。
【００３４】
以下においては、本発明の種々の構成要件の組み合わせからなる例示的な実施態様を示す。
１．外部細動除去器（10）と、および
前記外部細動除去器上に取付けられ、パッド（34）および電池（32）を含む交換可能供給モジュール（14）と
を含む細動除去システム（８）。
２．交換可能供給モジュール（14）は、パッド（34）および電池（32）を収容できるように構成されたコンパートメント（18）を有する容器を含む、上記１記載の細動除去システム（８）。
３．交換可能供給モジュール（14）は、剥離可能な上面を有する容器を含み、また、細動除去器の動作は剥離可能な上面（22）を剥離することによって開始される、上記１記載の細動除去システム（８）。
４．前記交換可能供給モジュール（14）は、有効期限日（68）を有し、その交換可能供給モジュール（14）の有効期限日は、前記パッド（34）の有効期限日および前記電池（32）の有効期限日よりも早いものである、上記２記載の細動除去システム（８）。
５．前記交換可能供給モジュール（14）は、有効期限日（68）を有し、その有効期限日は、前記交換可能供給モジュール（14）の表面上に印刷されて前記細動除去システム（８）の使用者に見える、上記１記載の細動除去システム（８）。
６．前記交換可能供給モジュール（14）は、有効期限日（68）を有し、その有効期限日は機械読取り可能な形態で提供され、また、前記細動除去器（10）は、機械読取り可能な形態の前記有効期限日（68）を認識するように構成される、上記１記載の細動除去システム（８）。
７．細動除去器（10）と、および
前記細動除去器（10）に電気的に接続されたパッド（34）および電池（32）を含む供給モジュール（14）とを含み、
前記細動除去器（10）は、前記供給モジュール（14）を監視するように構成される細動除去システム（８）。
８．前記供給モジュール（14）は、供給モジュール（14）から細動除去器（10）に伝送される情報を格納するように構成されたメモリ（38）を含む、上記７記載の細動除去システム（８）。
９．前記情報には、有効期限日情報、訓練情報、コード情報およびソフトウェア情報のうちの少なくとも１つが含まれる、上記８記載の細動除去システム（８）。
【００３５】
【発明の効果】
本発明により、細動除去器と細動除去器の動作に関連する品目の状態を容易に監視できるシステムが提供される。
【図面の簡単な説明】
【図１】本発明の一実施態様による細動除去器の斜視図である。
【図２】図１の細動除去器とともに使用されるモジュールの斜視図である。
【図３】図２のモジュールの概略ブロック図である。
【図４】図１の細動除去器の機能ブロック図である。
【符号の説明】
８  細動除去システム
10  細動除去器
14  供給モジュール
18  コンパートメント
22  層
32  電池
34  パッド
38  メモリ
68  有効期限日
【図１】
0004187910.tif 000002
【図２】
0004187910.tif 000003
【図３】
0004187910.tif 000004
【図４】
0004187910.tif 000005